【手続補正書】
【提出日】平成25年7月30日(2013.7.30)
【手続補正１】
【補正対象書類名】特許請求の範囲
【補正対象項目名】全文
【補正方法】変更
【補正の内容】
【特許請求の範囲】
【請求項１】
セキュリティ文書の信憑性を認証する方法であって、真正なセキュリティ文書はセキュリティ特徴（４１〜４９；３０；１０；５１、５２）が印刷、貼り付け、または他の方法で設けられており、前記セキュリティ特徴が、前記セキュリティ文書の製造に使用されるプロセスに固有の特徴的な視覚的特徴を備え、前記方法が、
認証すべき候補文書の表面のうちの前記セキュリティ特徴の少なくとも一部分を包含する少なくとも１つの関心領域（Ｒ．ｏ．Ｉ．）のサンプル画像をデジタル的に処理するステップを含み、
前記デジタル的な処理が、前記サンプル画像のウェーブレット変換（ＷＴ）による前記サンプル画像の分解の実行を含む方法において、
前記サンプル画像の前記分解が、前記サンプル画像のウェーブレットパケット変換（ＷＰＴ）に基づくことを特徴とする方法。
【請求項２】
前記ウェーブレットパケット変換（ＷＰＴ）が、二次元シフト不変ウェーブレットパケット変換（２Ｄ−ＳＩＷＰＴ）である請求項１に記載の方法。
【請求項３】
前記サンプル画像の前記分解が、不完全ウェーブレットパケット変換に基づく請求項１に記載の方法。
【請求項４】
前記サンプル画像の前記分解が、少なくとも１つの近似ノード（Ａｉ，ｊ）とディテールノード（ｃＶｉ，ｊ、ｃＨｉ，ｊ、ｃＤｉ，ｊ）とを含むウェーブレット・パケット・ツリーへと前記サンプル画像を分解し前記ウェーブレット・パケット・ツリーにおいて最高の情報コンテンツを有する前記ディテールノードを探すことを含む請求項３に記載の方法。
【請求項５】
前記最高の情報コンテンツを有する前記ノードが、最良分岐アルゴリズム（ＢＢＡ）に基づいて決定される請求項４に記載の方法。
【請求項６】
前記最良分岐アルゴリズム（ＢＢＡ）が、
前記サンプル画像を少なくとも第１の分解レベル（ｉ＝１）へと分解すること、
前記第１の分解レベルの前記ディテールノード（ｃＶ１，１、ｃＨ１，２、ｃＤ１，３）のなかから前記最高の情報コンテンツを有する前記ディテールノード、すなわち最良ノード（ｃＢ１）を決定すること、および
前記第１の分解レベルの前記近似ノード（Ａ１，０）および前記最良ノード（ｃＢ１）を少なくとも第２の分解レベル（ｉ＝２）へとさらに分解すること
を含む請求項５に記載の方法。
【請求項７】
前記最高の情報コンテンツを有する前記ノードが、所与の分解レベル（ｉ）のノードのうちの最高の分散（σ２）を呈する前記ノードとなるように決定される請求項４〜６のいずれか一項に記載の方法。
【請求項８】
前記同じ候補文書のいくつかの関心領域（Ｒ．ｏ．Ｉ．）に対応する複数のサンプル画像をデジタル的に処理することを含む請求項１〜６のいずれか一項に記載の方法。
【請求項９】
前記少なくとも１つの関心領域（Ｒ．ｏ．Ｉ．）が、高密度のパターンを含むように選択される請求項１〜６のいずれか一項に記載の方法。
【請求項１０】
前記パターンが、凹版印刷による直線状または曲線状のパターンである請求項９に記載の方法。
【請求項１１】
前記少なくとも１つの関心領域（Ｒ．ｏ．Ｉ．）が、前記候補文書に設けられた絵による表現のパターンを含むように選択される請求項９に記載の方法。
【請求項１２】
前記絵による表現が肖像画である請求項１１に記載の方法。
【請求項１３】
前記サンプル画像の前記分解から分類用の特徴（σ２、Ｃ、・・・）を抽出することをさらに含む請求項１〜６のいずれか一項に記載の方法。
【請求項１４】
前記分類用の特徴（σ２、Ｃ、・・・）が、前記サンプル画像の前記分解からもたらされるウェーブレット係数の統計的分布の算術平均、分散（σ２）、歪度、過剰（Ｃ）、およびエントロピで構成されるグループから選択される統計パラメータである請求項１３に記載の方法。
【請求項１５】
前記抽出された分類用の特徴（σ２、Ｃ、・・・）に基づいて前記候補文書の信憑性の格付けを導出するステップをさらに含む請求項１３に記載の方法。
【請求項１６】
前記セキュリティ文書が紙幣である請求項１〜６のいずれか一項に記載の方法。
【請求項１７】
セキュリティ文書を製造するための方法であって、
前記セキュリティ文書に印刷、貼り付け、または他の方法で設けられるセキュリティ特徴を設計するステップを含み、
前記セキュリティ特徴が、請求項１５に記載の方法に従って決定される真正な文書の信憑性の格付けを最適にするようなやり方で設計される方法。
【請求項１８】
前記セキュリティ特徴が、高密度のパターンを含むように設計される請求項１７に記載の方法。
【請求項１９】
前記パターンが、凹版印刷による直線状または曲線状のパターンである請求項１８に記載の方法。
【請求項２０】
前記セキュリティ文書が紙幣である請求項１７〜１９のいずれか一項に記載の方法。
【請求項２１】
請求項１〜１６のいずれか一項に記載の方法に従って認証すべき候補文書（１）の表面の少なくとも１つの関心領域（Ｒ．ｏ．Ｉ．）のサンプル画像の画像データを処理するためのデジタル信号処理ユニット（２００）であって、
前記サンプル画像の前記デジタル処理を実行するようにプログラムされているデジタル信号処理ユニット（２００）。
【請求項２２】
フィールド・プログラマブル・ゲート・アレイ（ＦＰＧＡ）ユニットとして実現される請求項２１に記載のデジタル信号処理ユニット（２００）。
【請求項２３】
請求項１〜１６のいずれか一項に記載の方法に従ってセキュリティ文書の前記信憑性を認証するための装置であって、
前記関心領域（Ｒ．ｏ．Ｉ．）の前記サンプル画像を取得するための光学システム（１００）と、前記サンプル画像の前記デジタル処理を実行するようにプログラムされたデジタル信号処理ユニット（２００）とを備える装置。
【請求項２４】
前記デジタル信号処理ユニット（２００）が、フィールド・プログラマブル・ゲート・アレイ（ＦＰＧＡ）ユニットとして実現される請求項２３に記載の装置。
【請求項２５】
画像取得の能力と組み合わされた携帯電子デバイスとして実現された請求項２３または２４に記載の装置。
【請求項２６】
画像取得の能力と組み合わされた携帯電子デバイスがスマートフォンである請求項２５に記載の装置。
【請求項２７】
セキュリティ文書の前記認証のためのウェーブレットパケット変換（ＷＰＴ）の使用。
【請求項２８】
前記ウェーブレットパケット変換（ＷＰＴ）が、二次元シフト不変ウェーブレットパケット変換（２Ｄ−ＳＩＷＰＴ）である請求項２７に記載の使用。
【請求項２９】
不完全ウェーブレットパケット変換を伴う請求項２７に記載の使用。
【請求項３０】
前記セキュリティ文書が紙幣である請求項２７〜２９のいずれか一項に記載の使用。
【請求項３１】
セキュリティ文書に、印刷、貼り付け、または他の方法で設けられたセキュリティ特徴（４１〜４９；３０；１０；５１、５２）であって、セキュリティ文書の製造に使用されるプロセスに固有の特徴的な視覚的特徴を備えるセキュリティ特徴（４１〜４９；３０；１０；５１、５２）を検出するための方法であって、
候補文書の前記表面のうちの前記セキュリティ特徴（４１〜４９；３０；１０；５１、５２）の少なくとも一部分を含むように選択される少なくとも１つの関心領域（Ｒ．ｏ．Ｉ．）のサンプル画像をデジタル的に処理するステップを含み、
前記デジタル的な処理が、前記サンプル画像のウェーブレット変換（ＷＴ）による前記サンプル画像の分解の実行を含む方法において、
前記サンプル画像の前記分解が、前記サンプル画像のウェーブレットパケット変換（ＷＰＴ）に基づくことを特徴とする方法。
【請求項３２】
前記ウェーブレットパケット変換（ＷＰＴ）が、二次元シフト不変ウェーブレットパケット変換（２Ｄ−ＳＩＷＰＴ）である請求項３１に記載の方法。
【請求項３３】
前記サンプル画像の前記分解が、不完全ウェーブレットパケット変換に基づく請求項３１に記載の方法。
【請求項３４】
前記サンプル画像の前記分解が、
少なくとも１つの近似ノード（Ａｉ，ｊ）とディテールノード（ｃＶｉ，ｊ、ｃＨｉ，ｊ、ｃＤｉ，ｊ）とを含むウェーブレット・パケット・ツリーへと前記サンプル画像を分解すること、および前記ウェーブレット・パケット・ツリーにおいて前記最高の情報コンテンツを有するディテールノードを探すことを含む請求項３３に記載の方法。
【請求項３５】
前記最高の情報コンテンツを有する前記ノードが、最良分岐アルゴリズム（ＢＢＡ）に基づいて決定される請求項３４に記載の方法。
【請求項３６】
前記最良分岐アルゴリズム（ＢＢＡ）が、
前記サンプル画像を少なくとも第１の分解レベル（ｉ＝１）へと分解すること、
前記第１の分解レベルの前記ディテールノード（ｃＶ１，１、ｃＨ１，２、ｃＤ１，３）のなかから前記最高の情報コンテンツを有する前記ディテールノード、すなわち最良ノード（ｃＢ１）を決定すること、および
前記第１の分解レベルの前記近似ノード（Ａ１，０）および前記最良ノード（ｃＢ１）を少なくとも第２の分解レベル（ｉ＝２）へとさらに分解すること
を含む請求項３５に記載の方法。
【請求項３７】
前記最高の情報コンテンツを有する前記ノードが、所与の分解レベル（ｉ）の前記ノードのうちの前記最高の分散（σ２）を呈するノードとなるように決定される請求項３４〜３６のいずれか一項に記載の方法。
【請求項３８】
凹版印刷によるパターン（４１〜４９）を検出するための請求項３１〜３６のいずれか一項に記載の方法。
【請求項３９】
前記セキュリティ文書が紙幣である請求項３１〜３６のいずれか一項に記載の方法。